(57)【要約】【課題】ロータリカッタ装置によるスタブカットとフルカットとの切り替えを簡単にする。【解決手段】刃部を有する回転刃と、刃部を有していて、前記回転刃に対して切断対象物の搬送路を介して対向配置される固定刃と、動力部からの動力を伝達して前記回転刃を回動可能に保持する回転刃保持部と、前記固定刃の刃部を前記回転刃の刃部に対して平行位置から僅かに角度を有して位置させて前記回転刃の刃部と前記固定刃の刃部とを噛み合わせるとともに、前記回転刃の回動に伴って噛み合い位置の移動が可能なように前記固定刃を保持する固定刃保持部と、を備え、前記固定刃保持部は、前記回転刃の刃部と前記固定刃の刃部との噛み合い位置の終点が前記切断対象物上となる部分切断位置と、前記回転刃の刃部と前記固定刃の刃部との噛み合い位置の終点が前記切断対象物を噛み合いにより全て切断可能な全切断位置とに、前記固定刃の保持位置を変更可能である。【選択図】図２
2013116537.tif 000002
【特許請求の範囲】
【請求項１】
刃部を有する回転刃と、
刃部を有していて、前記回転刃に対して切断対象物の搬送路を介して対向配置される固定刃と、
動力部からの動力を伝達して前記回転刃を回動可能に保持する回転刃保持部と、
前記固定刃の刃部を前記回転刃の刃部に対して平行位置から僅かに角度を有して位置させて前記回転刃の刃部と前記固定刃の刃部とを噛み合わせるとともに、前記回転刃の回動に伴って噛み合い位置の移動が可能なように前記固定刃を保持する固定刃保持部と、
を備え、
前記固定刃保持部は、前記回転刃の刃部と前記固定刃の刃部との噛み合い位置の終点が前記切断対象物上となる部分切断位置と、前記回転刃の刃部と前記固定刃の刃部との噛み合い位置の終点が前記切断対象物を噛み合いにより全て切断可能な全切断位置とに、前記固定刃の保持位置を変更可能である、
ことを特徴とするロータリカッタ装置。
【請求項２】
前記固定刃保持部は、
フレームと、
前記フレームに設けられ、前記固定刃の刃部の一方側端部に設けた支軸を前記フレームからの距離が前記切断対象物上における部分切断による未切断寸法分だけ異なる２点において選択的に支持可能な支持部材と、
前記フレームに設けられ、前記固定刃の刃部の他方側端部に設けた支軸を通す貫通孔と、
前記貫通孔側の前記支軸に備えられ、前記固定刃と前記フレームとを連結するとともに前記固定刃と前記フレームとの間に挟持されており、前記回転刃の回動により前記固定刃に伝達される力の方向とは逆方向に反力を持つ付勢部材と、
を備えている、
ことを特徴とする請求項１記載のロータリカッタ装置。
【請求項３】
前記支持部材は、前記フレーム上をスライド自在に設けられており、前記フレーム上におけるスライド移動によって前記フレームからの距離が前記切断対象物上における部分切断による未切断寸法分だけ異なる２点間で支持位置を変更する、
ことを特徴とする請求項２記載のロータリカッタ装置。
【請求項４】
前記支持部材は、前記フレームからの距離が前記切断対象物上における部分切断による未切断寸法分だけ異なる２点となる凹形状の第１の支持部および凹形状の第２の支持部と、前記第１の支持部および前記第２の支持部間における前記固定刃の前記支軸の移動経路となる溝形状の溝部を備えている、
ことを特徴とする請求項３記載のロータリカッタ装置。
【請求項５】
前記支持部材は、前記フレーム上において当該フレームからの距離が前記切断対象物上における部分切断による未切断寸法分だけ異なる２点の支持位置を選択的に変更可能に配設される、
ことを特徴とする請求項２記載のロータリカッタ装置。
【請求項６】
印字を実行する印字部と、
動力を発生する動力部と、
前記印字部で印字された切断対象物を前記動力部から伝達される動力により切断する請求項１ないし５のいずれか一記載のロータリカッタ装置と、
を備えることを特徴とする印字装置。
【発明の詳細な説明】
【技術分野】
【０００１】
本発明の実施形態は、ロータリカッタ装置および印字装置に関する。
【背景技術】
【０００２】
一般に、レシート用紙等の長尺紙を用いる印字装置であるレシートプリンタ、ファクシミリ装置等では、印字後の用紙を適当な長さに切断するための用紙切断装置を印字部から見て用紙搬送方向下流側に備えたものが多い。このような用紙切断装置の一例としては、用紙全幅に渡る長さを有する直線板状の回転刃を固定刃に対して回動させて鋏のように噛み合わせることにより、互いの刃部の間に位置する切断対象物（例えば、レシート用紙等）を切断するようにしたロータリカッタ装置がある。ロータリカッタ装置は、簡単な構造でありながら切断対象物の確実な切断を実現している。
【０００３】
ところで、例えばこのようなロータリカッタ装置のレシートプリンタへの適用を考えた場合、長尺紙をフルカット（全切断）せずに、手で切断容易な程度の長さ分の切り残しを持たせるスタブカット（部分切断）が要求される場合がある。例えば、同一内容の印字を２部連続して行い、その境目を部分切断することで半券の機能を備え、飲食店での食券として利用する場合等である。
【０００４】
従来のロータリカッタ装置は、上述したようなスタブカットとフルカットとの切り替えを、スタブカット用回転刃とフルカット用回転刃との交換により行うようにしている。
【発明の概要】
【発明が解決しようとする課題】
【０００５】
しかしながら、従来のロータリカッタ装置においては、次のような問題がある。従来のロータリカッタ装置は、スタブカットとフルカットとの切り替えを行う際における回転刃の交換に時間がかかり、メンテナンス性が悪い、という問題がある。
【課題を解決するための手段】
【０００６】
実施形態のロータリカッタ装置は、刃部を有する回転刃と、刃部を有していて、前記回転刃に対して切断対象物の搬送路を介して対向配置される固定刃と、動力部からの動力を伝達して前記回転刃を回動可能に保持する回転刃保持部と、前記固定刃の刃部を前記回転刃の刃部に対して平行位置から僅かに角度を有して位置させて前記回転刃の刃部と前記固定刃の刃部とを噛み合わせるとともに、前記回転刃の回動に伴って噛み合い位置の移動が可能なように前記固定刃を保持する固定刃保持部と、を備え、前記固定刃保持部は、前記回転刃の刃部と前記固定刃の刃部との噛み合い位置の終点が前記切断対象物上となる部分切断位置と、前記回転刃の刃部と前記固定刃の刃部との噛み合い位置の終点が前記切断対象物を噛み合いにより全て切断可能な全切断位置とに、前記固定刃の保持位置を変更可能である。
【０００７】
実施形態の印字装置は、印字を実行する印字部と、動力を発生する動力部と、前記印字部で印字された切断対象物を前記動力部から伝達される動力により切断する請求項１ないし５のいずれか一記載のロータリカッタ装置と、を備える。
【図面の簡単な説明】
【０００８】
【図１】図１は、実施形態のロータリカッタ装置を用いたレシートプリンタの要部断面図である。
【図２】図２は、フルカット（全切断）時のロータリカッタ装置を用紙搬送路の下流側から見た斜視図である。
【図３】図３は、支持部材を示す外観斜視図である。
【図４】図４は、スタブカット（部分切断）時のロータリカッタ装置を用紙搬送路の下流側から見た斜視図である。
【発明を実施するための形態】
【０００９】
本実施形態を図１ないし図４に基づいて説明する。図１は、本実施形態のロータリカッタ装置１４を用いたレシートプリンタ１の要部断面図である。図１に示すレシートプリンタ１は、ＰＯＳ（Point  Of  Sales）端末等に用いられているレシートに印字するプリンタである。
【００１０】
図１に示すように、印字装置であるレシートプリンタ１は、レシート用紙を挿入する用紙挿入口２に向けて配置された一対の用紙ガイド３，４が図示しないメインフレームに固定的に取り付けられている。これらの相対向する用紙ガイド３，４は、用紙搬送路５を形成する。用紙搬送路５は、印字部６に連通している。
【００１１】
印字部６は、メインフレームに開閉自在に軸支されたブラケット７に取り付けられたサーマルヘッド８、用紙ガイド３，４によって形成された用紙搬送路５の下流に設けられたプラテンローラ９、メインフレームに回動自在に軸支されたプッシュプレート１０に取り付けられサーマルヘッド８をプラテンローラ９に圧接するバネ１１等を備えている。プラテンローラ９は、プラテンローラギヤ９ａ，アイドラギヤ１２を介して搬送モータ１３によって駆動される。
【００１２】
レシートプリンタ１は、印字部６で印字されたレシート用紙を切断するロータリカッタ装置１４を備えている。そして、レシートプリンタ１には、印字部６で印字されたレシート用紙をロータリカッタ装置１４に導き、さらに図示しないレシート排出口に導く用紙搬送路１５が、相対向する一対の用紙ガイド１６，１７及びロータリカッタ装置１４の下流側に配置されている用紙ガイド１８によって形成されている。
【００１３】
ここで、下方に位置する用紙ガイド１６はメインフレームに固定的に取り付けられているが、上方に位置する用紙ガイド１７は、その後端上方に突設された取付部１７ａを介してブラケット７に回動自在に取り付けられており、この回動を検知するマイクロスイッチ１９と共にジャム検出部を形成している。
【００１４】
ここで、図２はフルカット（全切断）時のロータリカッタ装置１４を用紙搬送路５の下流側から見た斜視図である。図１または図２に示すように、ロータリカッタ装置１４は、一側縁にそれぞれ刃部２０ａ及び２１ａが形成された偏平な長方形状の固定刃２０及び回転刃２１を備えており、これらの固定刃２０及び回転刃２１は用紙搬送路１５を挟んで各刃部２０ａ，２１ａを対向させて配置されている。
【００１５】
図１または図２に示すように、回転刃２１は、回転刃保持部３４により、動力を発生する動力部として機能するカッタ用モータ２８からの動力を伝達されて回動可能に保持される。
【００１６】
図２に示すように、回転刃保持部３４は、回転刃２１を長手方向両側に一方側（短手方向中心からずれた位置）に設けた軸２２を介してフレーム２３の両側壁２３ａ，２３ｂに回動自在に軸支し、他端側をこの軸２２を中心として揺動する揺動端としている。回転刃２１は、この揺動端の図２において上側角部の稜辺に刃部２１ａを有している。
【００１７】
また、回転刃２１は、この揺動端の軸２２が設けられている面に軸２２と平行な軸２４を取り付けており、この揺動端側を上流側に向けるとともに刃部２１ａが設けられている面２１ｂを用紙搬送路１５の図２において下側の面に沿わせて配置されている。また、図２に示すように、回転刃２１の刃部２１ａは、回転刃２１が軸２２を中心として回動した際、軸２４側から順次固定刃２０の刃部２０ａと摺接するようにわずかに傾斜させて取り付けてある。
【００１８】
そして、回転刃保持部３４は、回転刃２１の軸２２，２４が設けられている側には回動手段としてのカッタレバー２５を備えている。カッタレバー２５は、短杆２５ａと長杆２５ｂとからなる略Ｌ字に形成されている。また、カッタレバー２５は、短杆２５ａと長杆２５ｂとの連結角部の一部がコ字状に折曲した折曲片２５ｃを有している。そして、短杆２５ａの先端部には貫通孔２６ｂが、また角部および折曲片２５ｃには同一軸心として形成した貫通孔２６ａ，２６ｃが形成されている。貫通孔２６ｂ及び貫通孔２６ａ，２６ｃには、それぞれ回転刃２１に設けた軸２２及び軸２４が挿通されている。
【００１９】
さらに、カッタレバー２５は、長杆２５ｂの端部に長孔２７を有している。図１に示すように、この長孔２７にはカッタ用モータ２８によって駆動されるギア２９に設けられた偏心軸３０が遊嵌されている。
【００２０】
一方、図１または図２に示すように、固定刃２０は、固定刃保持部３５により、回転刃２１の回動に伴って噛み合い位置の移動が可能なように保持される。
【００２１】
図２に示すように、固定刃保持部３５は、固定刃２０を長手方向両側の一方側（短手方向中心からずれた位置）に設けた支軸３１を介して、フレーム２３とは異なるフレーム４０の側壁４０ａに設けられた支持部材５０および側壁４０ｂに設けられた貫通孔６０によって軸支する。なお、固定刃２０の支軸３１と回転刃２１の支軸２２とは平行位置から僅かに傾斜して位置決めされている。固定刃２０は、図２に示すように支軸３１が設けられている側と反対側で且つ回転刃２１側の角部稜辺に前述した刃部２０ａが形成されている。また、固定刃２０は、刃部２０ａが設けられている面を案内面２０ｂとしている。
【００２２】
さらに、固定刃２０は、回転刃２１の刃部２１ａを固定刃２０の刃部２０ａとの噛み合せ位置に案内するための案内部２０ｃを備えている。より詳細には、固定刃２０の案内部２０ｃは、固定刃２０の刃部２０ａから外れた位置に当該刃部２０ａから連続して突出している。
【００２３】
フレーム４０の側壁４０ｂ側の固定刃２０の支軸３１には、固定刃２０を回転刃２１に対して付勢する付勢部材であるコイルスプリング４１が備えられている。コイルスプリング４１は、固定刃２０とフレーム４０とを連結するとともに、固定刃２０と側壁４０ｂとの間に挟持されており、回転刃２１の回動により固定刃２０に伝達される力の方向とは逆方向に反力を持つ。
【００２４】
支持部材５０は、フレーム４０の側壁４０ａ側に位置する支軸３１を側壁４０ａからの距離が異なる２点で選択的に支持するために設けられる。支持部材５０は、例えばフレーム４０の側壁４０ａに配設されたレール（図示せず）上をスライド移動することでフレーム４０の側壁４０ａからの距離が異なる２点間で支持位置を変更するものでも良いし、フレーム４０の側壁４０ａ上において側壁４０ａからの距離が異なる２点の支持位置を選択的に変更可能に配設可能な構成となっており配設位置に応じて支持位置を変更するものであっても良い。
【００２５】
ここで、図３は支持部材５０を示す外観斜視図である。図３に示すように、支持部材５０は、フレーム４０の側壁４０ａに配設された状態で、側壁４０ｂからの距離が徐々に異なるように傾斜して形成された斜面５１を有している。支持部材５０は、側壁４０ａからの距離が遠くなる支軸３１の支持位置となる凹形状の第１の支持部５３ａを斜面５１に有しているとともに、側壁４０ａからの距離が近くなる支軸３１の支持位置となる凹形状の第２の支持部５３ｂを斜面５１に有している。なお、第１の支持部５３ａと第２の支持部５３ｂとの側壁４０ａからの距離の差は、後述する未切断寸法分Ｘと同一である。また、支持部材５０は、第１の支持部５３ａと第２の支持部５３ｂとの間における支軸３１の移動経路となる溝形状の溝部５２を斜面５１に備えている。
【００２６】
このような構成により、ロータリカッタ装置１４においては、カッタ用モータ２８の駆動がギア２９に設けられた偏心軸３０を介して伝達されたカッタレバー２５によって軸２４が揺動され、回転刃２１が軸２２を中心に回動する。そして、回転刃２１の回動に伴い固定刃２０は一方向に押されて回動するが、この際、固定刃２０の支軸３１に取り付けられて固定刃２０とフレーム４０とを連結するコイルスプリング４１の復帰力により、固定刃２０はその回動方向とは逆方向に反力を持つことになる。また、固定刃２０の支軸３１と回転刃２１の支軸２２とは平行位置から僅かに傾斜して位置決めされているので、固定刃２０と回転刃２１との間の用紙搬送路５はＶ字形状に形成される。すなわち、回転刃２１の回動と固定刃２０の反力とにより固定刃２０の刃部２０ａと回転刃２１の刃部２１ａとが摺接しながらＶ字形状の用紙搬送路５が徐々に移動して小さくなることにより、それぞれの刃部２０ａ，２１ａが鋏のように噛み合うことになり、両刃部２０ａ，２１ａ間に介在する切断対象物となるレシート用紙３２をカット、つまり切断することができる。
【００２７】
このような構成において、レシート用紙３２をフルカット（全切断）する場合について説明する。レシート用紙３２をフルカット（全切断）する場合、図２に示すように、ロータリカッタ装置１４は、コイルスプリング４１を圧縮しつつ側壁４０ｂ側の固定刃２０の支軸３１を貫通孔６０から突出させる方向に移動させるとともに、側壁４０ａ側に位置する支軸３１を第１の支持部５３ａに嵌合させるように支持部材５０を位置させた状態にセットされる。
【００２８】
ロータリカッタ装置１４が図２に示す状態（フルカット（全切断）状態）にあるレシートプリンタ１では、用紙挿入口２から用紙搬送路５にレシート用紙３２を挿入すると、このレシート用紙３２はプラテンローラ９の回転に従ってサーマルヘッド８の下を順次搬送されている際に所定の印刷が行われ、固定刃２０と回転刃２１とにより形成されている刃部２０ａおよび刃部２１ａの間を通過し、回転刃２１の案内を兼ねた面２１ｂと用紙ガイド１８に案内されてレシート発行口に導かれる。
【００２９】
そして、印刷した部分つまりレシートがレシート発行口から露出状態となったときカッタ用モータ２８が起動され、ギア２９が図１に示す矢印方向に回転し、このギア２９に取り付けられた偏心軸３０が長孔２７の中を摺動しながら円運動するので、軸２２を支点として矢印方向に回動する回転刃２１に取り付けられているカッタレバー２５の短杆２５ａが軸２２を支点として回動し、回転刃２１もカッタレバー２５とともに回動する。この際、刃部２１ａは、前述したように傾斜して取り付けてあるため、刃部２１ａは固定刃２０の刃部２０ａに対して支持部材５０側から順次摺接し、レシート用紙３２は同時に支持部材５０側から順次フレーム２３ｂ側に向かって切断が進み、回転刃２１の刃部２１ａと固定刃２０の刃部２０ａとの噛み合い位置の終点がレシート用紙３２の幅寸法Ｗを噛み合いにより全て切断可能な全切断位置となることで最後まで切断、つまりフルカットされてレシートが発行される。
【００３０】
次に、レシート用紙３２をスタブカット（部分切断）する場合について説明する。レシート用紙３２をスタブカット（部分切断）する場合、図４に示すように、ロータリカッタ装置１４においては、側壁４０ａ側に位置する支軸３１が第２の支持部５３ｂに嵌合するように支持部材５０がセットされる。
【００３１】
ロータリカッタ装置１４が図４に示す状態にあるレシートプリンタ１では、ロータリカッタ装置１４が図１に示す状態にある場合に比べて、支軸３１の先端位置が側壁４０ｂに対して近くなった分（レシート用紙３２上における部分切断による未切断寸法分）だけ固定刃２０が側壁４０ｂ側に移動することになる。本実施形態においては、固定刃２０は、レシート用紙３２の搬送路範囲よりも“Ｘ”だけ内側に移動する。その結果、ロータリカッタ装置１４が図４に示す状態にあるレシートプリンタ１では、回転刃２１の刃部２１ａが固定刃２０の刃部２０ａに対して支持部材５０側から順次摺接し、レシート用紙３２は同時に支持部材５０側から順次フレーム２３ｂ側に向かって切断が進み最後まで切断したとしても、回転刃２１の刃部２１ａと固定刃２０の刃部２０ａとの噛み合い位置の終点がレシート用紙３２上となる部分切断位置となることで、回転刃２１の切断進行距離が図４に示すようにレシート用紙３２の幅寸法Ｗよりも未切断寸法分Ｘだけ少なくなることにより、レシート用紙３２が未切断寸法分Ｘを残してスタブカットされたレシートが発行される。
【００３２】
すなわち、本実施形態のレシートプリンタ１のロータリカッタ装置１４においては、使用者がスタブカットを行いたい際には、側壁４０ａ側に位置する支軸３１が第２の支持部５３ｂに嵌合するように支持部材５０をセットすることで、スタブカットが行える構成となっている。
【００３３】
このように本実施形態によれば、固定刃２０の刃部２０ａを回転刃２１の刃部２１ａに対して平行位置から僅かに角度を有して位置させて回転刃２１の刃部２１ａと固定刃２０の刃部２０ａとを噛み合わせるとともに、回転刃２１の回動に伴って噛み合い位置の移動が可能なように固定刃２０を保持する固定刃保持部３５は、回転刃２１の刃部２１ａと固定刃２０の刃部２０ａとの噛み合い位置の終点がレシート用紙３２上となる部分切断位置と、回転刃２１の刃部２１ａと固定刃２０の刃部２０ａとの噛み合い位置の終点がレシート用紙３２を噛み合いにより全て切断可能な全切断位置とに、固定刃２０の保持位置を変更可能であることにより、レシートプリンタ１のロータリカッタ装置１４によるスタブカットとフルカットとの切り替えを簡単にすることができる。
【００３４】
なお、本実施形態では、固定刃２０および回転刃２１を偏平な長方形状に形成したが、これに限らず、例えば半円形状または円柱状として、その周面に軸方向沿う直線状の刃部を形成した形状としてもよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１      印字装置
５      搬送路
６      印字部
１４    ロータリカッタ装置
２０    固定刃
２０ａ  固定刃の刃部
２１    回転刃
２１ａ  回転刃の刃部
２８    動力部
３１    固定刃の支軸
３２    切断対象物
３４    回転刃保持部
３５    固定刃保持部
４０    フレーム
４１    付勢部材
５０    支持部材
５２    溝部
５３ａ  第１の支持部
５３ｂ  第２の支持部
６０    貫通孔
【先行技術文献】
【特許文献】
【００３７】
【特許文献１】特開平１０−１１８９７９号公報
【図１】
2013116537.tif 000003
【図２】
2013116537.tif 000004
【図３】
2013116537.tif 000005
【図４】
2013116537.tif 000006